(57)【要約】【課題】ガラスとして使用することができる上、折り曲げ可能で、落下耐性を有して割れにくく、軽量かつ薄型、携行性及び耐熱性に優れるなどの特性を有し、従来のガラス材料よりも優れた軟質バックパッドを有する安全柔軟性レンズ構造を提供する。【解決手段】軟質バックパッドを有する安全柔軟性レンズ構造は、光反射物質層１１、柔軟性透視性素材層１２及び軟質バックパッド層１３を備える。光反射物質層１１は、光を反射する被覆材料からなるとともに２つの表面を有する。柔軟性透視性素材層１２は、光反射物質層１１の一表面に結合されるとともに、光透過性を備えて外部画像を反射させる。軟質バックパッド層１３は、光反射物質層１１の他表面に結合されて耐熱性を得る。柔軟性透視性素材層１２は柔軟性透視性物である。【選択図】図１Ａ
0003188776.tif 000002
【実用新案登録請求の範囲】
【請求項１】
光反射物質層、柔軟性透視性素材層及び軟質バックパッド層を備えた軟質バックパッドを有する安全柔軟性レンズ構造であって、
前記光反射物質層は、光を反射する被覆材料からなるとともに２つの表面を有し、
前記柔軟性透視性素材層は、前記光反射物質層の一表面に結合されるとともに、光透過性を備えて外部画像を反射させ、
前記軟質バックパッド層は、前記光反射物質層の他表面に結合され、耐熱性を備えることを特徴とする、
軟質バックパッドを有する安全柔軟性レンズ構造。
【請求項２】
前記光反射物質層は、銀層であり、
前記柔軟性透視性素材層上には、１層の銀鏡が形成されることを特徴とする請求項１に記載の軟質バックパッドを有する安全柔軟性レンズ構造。
【請求項３】
前記光反射物質層は、銅層であり、
前記柔軟性透視性素材層上には、１層の銅鏡が形成されることを特徴とする請求項１に記載の軟質バックパッドを有する安全柔軟性レンズ構造。
【請求項４】
前記光反射物質層は、合金層であり、
前記柔軟性透視性素材層上には、１層の合金鏡が形成されることを特徴とする請求項１に記載の軟質バックパッドを有する安全柔軟性レンズ構造。
【請求項５】
前記光反射物質層は、化学融合物層であり、
前記柔軟性透視性素材層上には、１層の化学融合物鏡が形成されることを特徴とする請求項１に記載の軟質バックパッドを有する安全柔軟性レンズ構造。
【請求項６】
前記光反射物質層は、金属融合物層であり、
前記柔軟性透視性素材層上には、１層の金属融合物鏡が形成されることを特徴とする請求項１に記載の軟質バックパッドを有する安全柔軟性レンズ構造。
【請求項７】
前記柔軟性透視性素材層は柔軟性透視性物であることを特徴とする請求項１に記載の軟質バックパッドを有する安全柔軟性レンズ構造。
【請求項８】
前記柔軟性透視性素材層は、透明フィルム、耐破れペーパー、布又は柔軟性プラスチックのいずれかからなることを特徴とする請求項１に記載の軟質バックパッドを有する安全柔軟性レンズ構造。
【請求項９】
前記柔軟性プラスチックは、ポリエチレンテレフタレートからなることを特徴とする請求項８に記載の軟質バックパッドを有する安全柔軟性レンズ構造。
【請求項１０】
前記柔軟性プラスチックは、ポリエチレンナフタレートからなることを特徴とする請求項８に記載の軟質バックパッドを有する安全柔軟性レンズ構造。
【請求項１１】
前記柔軟性プラスチックは、ポリ塩化ビニルからなることを特徴とする請求項８に記載の軟質バックパッドを有する安全柔軟性レンズ構造。
【請求項１２】
前記柔軟性プラスチックは、ポリイミドからなることを特徴とする請求項８に記載の軟質バックパッドを有する安全柔軟性レンズ構造。
【請求項１３】
前記柔軟性プラスチックは、ポリプロピレンからなることを特徴とする請求項８に記載の軟質バックパッドを有する安全柔軟性レンズ構造。
【請求項１４】
前記軟質バックパッド層は、ポリエチレンイミンからなることを特徴とする請求項１に記載の軟質バックパッドを有する安全柔軟性レンズ構造。
【考案の詳細な説明】
【技術分野】
【０００１】
本考案は、軟質バックパッドを有する安全柔軟性レンズ構造に関し、特に、建築物の外壁、壁材、間仕切り、更には室内の様々な内装建材に応用することができる上、建築物への応用以外には、科学技術分野、電子分野、車両材料分野、ソーラエネルギ分野へも応用することができ、小さな部品の組合せからなるため簡便に収納したり保管したりして各科学技術分野に応用することができる軟質バックパッドを有する安全柔軟性レンズ構造に関する。
【背景技術】
【０００２】
建築技術及び美学の向上により、建築物の壁材、間仕切り、更には室内の様々な内装に使用されるガラス材料の割合が次第に高くなっている。その原因は、ガラス材料を光透過コーティングフィルムとして用いることができるからである。近代建築が形成される前にはコーティングフィルムとして使用するガラスが非常に多くの建築に応用されていた。
光透過コーティングフィルムは、まず、採光の必要上、窓により採光を最大限行うことができ、窓枠にガラスを嵌入することは、従来のガラス用途であり、中世のゴシック建築は、光の穴のようなガラスを大きな面積を有する平面に変換し、１９世紀のグラスハウス（ｇｌａｓｓ  ｈｏｕｓｅ）によりガラス材料は再びターニングポイントに入った。
【０００３】
１９世紀に至るまでにガラスの建築材料としての地位はすでに確立され、１８世紀にはすでに非常に多くの建築物にガラス天窓が採用されている。従来のグラスハウスでは、天窓又は窓以外の他の壁面にガラス壁が採用され、ガラス材料を全面的なコーティングフィルムとして形成し、ロンドンの水晶宮ではガラス材料の応用がグラスハウスからさらに発展した。上述したことから分かるように、現在、ガラス材料は建築材料にとって必要不可欠である。
【０００４】
ガラスは、一般の物品より硬度が高かったが、割れ易かった。そのため、ガラスを建築材料として使用する場合、物が当たると軽い場合で表面に亀裂が入り、最悪の場合、ガラスが割れてしまうことがあるため、建築施工時に危険な状態になるとともに、不用意に物がガラス壁に当たって割れてしまうこともある。
また、建築物以外には、例えば、科学技術分野、電子分野、車両材料分野、ソーラエネルギ分野でもガラスを用いる状況があるが、一般にこの分野では、常温より高い状況が発生し易かった。また一般にガラスは、高温になると割れることがあり、極めて危険でもあった。
【０００５】
そのため、ガラスのような機能を有する上、折り曲げ可能で、落下耐性を有して割れにくく、軽量かつ薄型で、携行性及び耐熱性に優れるなどの特性を有する、従来のガラス材料に代わる建材が求められていた。
【考案の概要】
【考案が解決しようとする課題】
【０００６】
本考案の目的は、ガラスとして使用することができる上、折り曲げ可能で、落下耐性を有して割れにくく、軽量かつ薄型、携行性及び耐熱性に優れるなどの特性を有し、従来のガラス材料よりも優れた軟質バックパッドを有する安全柔軟性レンズ構造を提供することにある。
【課題を解決するための手段】
【０００７】
上記課題を解決するために、本考案の第１の形態によれば、光反射物質層、柔軟性透視性素材層及び軟質バックパッド層を備えた軟質バックパッドを有する安全柔軟性レンズ構造であって、前記光反射物質層は、光を反射する被覆材料からなるとともに２つの表面を有し、前記柔軟性透視性素材層は、前記光反射物質層の一表面に結合されるとともに、光透過性を備えて外部画像を反射させ、前記軟質バックパッド層は、前記光反射物質層の他表面に結合されて耐熱性を得ることを特徴とする軟質バックパッドを有する安全柔軟性レンズ構造が提供される。
【０００８】
前記光反射物質層は、銀層であり、前記柔軟性透視性素材層上には、１層の銀鏡が形成されることが好ましい。
【０００９】
前記光反射物質層は、銅層であり、前記柔軟性透視性素材層上には、１層の銅鏡が形成されることが好ましい。
【００１０】
前記光反射物質層は、合金層であり、前記柔軟性透視性素材層上には、１層の合金鏡が形成されることが好ましい。
【００１１】
前記光反射物質層は、化学融合物層であり、前記柔軟性透視性素材層上には、１層の化学融合物鏡が形成されることが好ましい。
【００１２】
前記光反射物質層は、金属融合物層であり、前記柔軟性透視性素材層上には、１層の金属融合物鏡が形成されることが好ましい。
【００１３】
前記柔軟性透視性素材層は柔軟性透視性物であることが好ましい。
【００１４】
前記柔軟性透視性素材層は、透明フィルム、耐破れペーパー、布又は柔軟性プラスチックからなることが好ましい。
【００１５】
前記柔軟性プラスチックは、ポリエチレンテレフタレートからなることが好ましい。
【００１６】
前記柔軟性プラスチックは、ポリエチレンナフタレートからなることが好ましい。
【００１７】
前記柔軟性プラスチックは、ポリ塩化ビニルからなることが好ましい。
【００１８】
前記柔軟性プラスチックは、ポリイミドからなることが好ましい。
【００１９】
前記柔軟性プラスチックは、ポリプロピレンからなることが好ましい。
【００２０】
前記軟質バックパッド層は、ポリエチレンイミンからなることが好ましい。
【図面の簡単な説明】
【００２１】
【図１Ａ】本考案の一実施形態に係る軟質バックパッドを有する安全柔軟性レンズ構造を示す斜視図である。
【図１Ｂ】本考案の一実施形態に係る軟質バックパッドを有する安全柔軟性レンズ構造を示す断面図である。
【図２】本考案の一実施形態に係る軟質バックパッドを有する安全柔軟性レンズ構造を示す斜視図である。
【考案を実施するための形態】
【００２２】
以下、本考案の実施形態について図に基づいて説明する。なお、これによって本考案が限定されるものではない。
【００２３】
図１Ａ及び図１Ｂを参照する。図１Ａは、本考案の一実施形態に係る軟質バックパッドを有する安全柔軟性レンズ構造を示す斜視図である。図１Ｂは、本考案の一実施形態に係る軟質バックパッドを有する安全柔軟性レンズ構造を示す断面図である。
図１Ａ及び図１Ｂに示すように、本考案の一実施形態に係る軟質バックパッドを有する安全柔軟性レンズ構造１は、光反射物質層１１、柔軟性透視性素材層１２及び軟質バックパッド層１３を含む。図１Ａ及び図１Ｂに示すように、光反射物質層１１は２つの表面を有する。柔軟性透視性素材層１２は、光反射物質層１１の一表面に結合される。軟質バックパッド層１３は、光反射物質層１１の他表面に結合される。
【００２４】
光反射物質層１１は、光を反射する被覆材料からなる。光反射物質層１１は、例えば銀鏡を形成する銀層（ｓｉｌｖｅｒ  ｌａｙｅｒ）、銅鏡を形成する銅層（ｃｏｐｐｅｒ  ｌａｙｅｒ）、合金鏡を形成する合金層（ａｌｌｏｙ  ｌａｙｅｒ）、化学融合物鏡を形成する化学融合物層（ｅｌｅｃｔｒｏｐｌａｔｉｎｇ  ｃｈｅｍｉｃａｌ  ｆｕｓｉｏｎ  ｌａｙｅｒ）、金属融合物鏡（ｍｅｔａｌ  ｆｕｓｉｏｎ  ｌａｙｅｒ）を形成する金属融合物層である。
柔軟性透視性素材層１２は柔軟性透視性物であり、柔軟性透視性素材層１２を光が透過すると光反射物質層１１に達し、光反射物質層１１により光が反射されて画像が柔軟性透視性素材層１２まで反射される。このように、柔軟性透視性素材層１２は、鏡のように外部画像を反射させることができる。
【００２５】
軟質バックパッド層１３は、ポリエチレンイミン（Ｐｏｌｙｅｔｈｙｌｅｎｅｉｍｉｎｅ：ＰＥＩ）からなる。本考案で使用するポリエチレンイミンは、三菱樹脂社の製品である熱可塑性高耐熱エンジニアリングプラスチックのポリエーテルイミド樹脂フィルムであり、それは耐熱性、耐薬品性、耐候性、耐燃焼性、熱成形性などの特性を備える。
特に、ポリエチレンイミンのガラス転移点は、熱可塑性樹脂中で極めて高く、２１０℃まで加熱してもサイズ変化が小さいという特性を有する。そのため、高温の環境下でも長時間延伸させ続けることができる。それ故、この材料からなる軟質バックパッド層１３と光反射物質層１１とを結合し、軟質バックパッド層１３の一面を壁面、外壁面など、建築物の表面に貼着させると、安全柔軟性レンズ構造１は高い耐熱性を得ることができる。
【００２６】
上述したことから分かるように、光反射物質層１１、柔軟性透視性素材層１２及び軟質バックパッド層１３から構成された安全柔軟性レンズ構造１は、鏡の機能を有する上、折り曲げ可能で、落下耐性を有して割れにくく、軽量かつ薄型であり、携行性に優れ、耐熱性などの特性を有する。
そのため、安全柔軟性レンズ構造１を建築物に応用する際、安全性が極めて高い建築材料として使用することができる。また、不用意に地面に落としたときにも従来のガラスのように割れることがないため、ユーザが使用する際、不注意により怪我をすることを防いで使用の安全性を大幅に高めることができる。
【００２７】
柔軟性透視性素材層１２は、透明フィルム、耐破れペーパー（ｔｅａｒ−ｐｒｏｏｆ  ｐａｐｅｒ）、布、柔軟性プラスチック（例えば、ポリエチレンテレフタレート、ポリエチレンナフタレート、ポリ塩化ビニル、ポリイミド又はポリプロピレン）など、柔軟性及び透視性を備えた材料からなる。そのため全体の安全柔軟性レンズ構造１は、折り曲げ可能で、落下耐性を有して割れにくく、軽量かつ薄型、携行性及び耐熱性に優れるなどの特性を有する。そのため、安全柔軟性レンズ構造１をカットする場合、従来の硬質ガラス素材と比べ、高価なカッターが必要無い上、様々な形式の切断を容易に行うことができる。
従来の硬質のガラス素材を切断する際、不用意に割ってしまって予想困難な怪我、損失などが発生することがあるが、安全柔軟性レンズ構造１にはこのような問題が生じることはない。
【００２８】
また、建築物の外壁、壁材、間仕切り、更には室内の多くの内装、例えば、図２に示すような舞踏教室内には、大型の光反射板が必要であるため、このような舞踏教室の室内に内装を施す場合、複数の本考案の安全柔軟性レンズ構造１の軟質バックパッド層１３を舞踏教室の室内壁面２上に貼着する必要がある。
柔軟性透視性素材層１２は、外方に形成されるため、ユーザは安全柔軟性レンズ構造１の柔軟性透視性素材層１２の前面に立つと、画像反射特性により柔軟性透視性素材層１２を介して反射された画像中の自らの動作を見ることができる。
【００２９】
一般の建築物に応用する以外に、本考案の安全柔軟性レンズ構造１は、科学技術分野、電子分野、車両材料分野、ソーラエネルギ分野でも硬質のガラス素材へ応用することができる。これらの分野では、高温環境下で使用するため、現在、耐熱ガラスが利用されているが、耐熱ガラスによっても従来のガラスが重くて壊れやすくなる状況を防ぐことはできない。本考案の安全柔軟性レンズ構造１を使用した場合、耐熱特性を得ることができるとともに、従来のガラスが割れて危険な状況になることを防ぐこともできる。
【００３０】
本考案の軟質バックパッドを有する安全柔軟性レンズ構造は、以下（１）〜（３）の長所を有する。
（１）ガラスとして使用することができる上、折り曲げ可能で、落下耐性を有して割れにくく、軽量かつ薄型、携行性及び耐熱性に優れるなどの特性を有し、従来のガラス素材を代替することができる。
（２）建築物の外壁、壁材、間仕切り、更には室内の様々な内装の建材に応用することができる上、科学技術分野、電子分野、車両材料分野、ソーラエネルギ分野へ応用し、未来の携帯電話の部品やソーラエネルギ集光材料として用いたり、宇宙分野において使用し、広げたり収納したりして使用し、建材、広告看板に用いることもできる。
（３）小さな部品を組み合わせて製作されるため、簡便に収納や保管ができ、その便利な特性により組み合わせて各科学技術分野に応用することができる。
【００３１】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００３２】
１    安全柔軟性レンズ構造
２    室内壁面
１１  光反射物質層
１２  柔軟性透視性素材層
１３  軟質バックパッド層
【図１Ａ】
0003188776.tif 000003
【図１Ｂ】
0003188776.tif 000004
【図２】
0003188776.tif 000005